(57)【特許請求の範囲】
【請求項１】
映像源から投射された映像光を反射させて観察可能とする反射型スクリーンであって、
前記映像光が投射される側から、光学機能層と、フレネルレンズ層と、該フレネルレンズ層のレンズ面に形成された光反射層とを備え、
前記光学機能層は、光を透過可能に並列され、該並列される方向に直交する方向に延在する光透過部と、該光透過部間に光を吸収可能に設けられ、前記光透過部が延在する方向と同じ方向に延在し、前記光透過部が並列される方向と同じ方向に並列される光吸収部とを備えており、
前記光透過部の屈折率が前記光吸収部の屈折率以下であり、
前記光吸収部は、該光吸収部が延在する方向に直交する断面視において前記光吸収部が並列される方向を前記光吸収部の幅としたときに、前記フレネルレンズ層に向かうにつれて前記幅が狭くなるように三角形断面又は台形断面を有し、
前記光吸収部の並列方向を鉛直方向とした姿勢での層厚方向の断面視において、前記光吸収部の前記光透過部との界面のうち、上側の界面及び下側の界面の一方が、前記光学機能層に入射すると想定される映像光の入射方向に近づく角度で水平に対して傾斜し、他方が光学機能層に入射すると想定される前記映像光以外の光の入射方向に基づいて形成されている、反射型スクリーン。
【請求項２】
前記光吸収部の並列方向を鉛直方向とした姿勢において、前記光吸収部の配置位置が高い程、前記下側の界面の水平面に対する角度が大きくなっている、請求項１に記載の反射型スクリーン。
【請求項３】
前記光吸収部の並列方向を鉛直方向とした姿勢において、前記光吸収部の配置位置が低い程、前記上側の界面が水平に近くなっている、請求項１又は２に記載の反射型スクリーン。
【請求項４】
請求項１〜３のいずれか一項に記載の反射型スクリーンと、該反射型スクリーンに映像光を投射する映像源とを備える、反射型投射システム。
【請求項５】
前記映像源の出光面から前記反射型スクリーンの観察者側の面までの水平方向距離が１ｍ以下である、請求項４に記載の反射型投射システム。
【発明の詳細な説明】
【技術分野】
【０００１】
本発明は、映像源から投射された光を反射させて観察可能とする反射型スクリーン、及び該反射型スクリーンを備えた反射型投射システムに関する。
【背景技術】
【０００２】
反射型スクリーンはプロジェクター等の映像源からの光を反射させて観察者側に出射し、その映像光を提供するためのスクリーンである。このような反射型スクリーンにおいて、コントラストの高い映像を得たいという要求やできる限り高輝度な映像を得たいという要求を満たす目的で、これまでに様々な技術が開示されている。例えば、特許文献１には、スクリーン面に対して直交する断面において、光を透過可能に並列された光透過部と、光透過部間に形成された空洞部とを備え、光透過部の裏面側には、光を反射する反射部が形成され、空洞部及び反射部より裏面側に光を吸収する光吸収層が形成されていることを特徴とする反射型スクリーンが開示されている。また、特許文献２には、スクリーン面に対して直交する断面において、光を透過する光透過部と、光を吸収する光吸収部と、少なくとも光透過部の裏面側に設けられ、光透過部を通過した光を反射する反射層と、を備え、光透過部と光吸収部とは、スクリーン面に沿って交互に多数並べられて形成されており、光透過部は、スクリーン面に直交する断面における形状がスクリーン面に沿った方向で位置によって変化していることを特徴とする反射型スクリーンが開示されている。
【先行技術文献】
【特許文献】
【０００３】
【特許文献１】特開２０１０−２０４５７２号公報
【特許文献２】特開２００８−３９９０１号公報
【発明の概要】
【発明が解決しようとする課題】
【０００４】
上記特許文献１や特許文献２に開示されている反射型スクリーンによれば、コントラストの高い映像を得られると考えられる。しかしながら、従来の反射型スクリーンでは、該スクリーンに対して近い位置（例えば、反射型スクリーンから１ｍ以内の位置）に映像源を配置して斜め方向から映像光を投射すると、該映像源から反射型スクリーンに投射される光の入射角が大きくなり、反射型スクリーン内で映像光を適切に誘導して観察者側に反射させることが困難であった。
【０００５】
そこで本発明は、映像源との距離が近い場合であってもコントラストを向上させることができる反射型スクリーン、及び該反射型スクリーンを備えた反射型投射システムを提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、映像源（２）から投射された映像光（ＶＬ）を反射させて観察可能とする反射型スクリーン（１０）であって、映像光が投射される側から、光学機能層（１２、１２’）と、フレネルレンズ層（２３）と、該フレネルレンズ層のレンズ面に形成された光反射層（２４）とを備え、光学機能層は、光を透過可能に並列され、該並列される方向に直交する方向に延在する光透過部（１３）と、該光透過部間に光を吸収可能に設けられ、光透過部が延在する方向と同じ方向に延在し、光透過部が並列される方向と同じ方向に並列される光吸収部（１４、１４’）とを備えており、光透過部の屈折率が光吸収部の屈折率以下であり、光吸収部は、該光吸収部が延在する方向に直交する断面視において光吸収部が並列される方向を光吸収部の幅としたときに、フレネルレンズ層に向かうにつれて幅が狭くなるように三角形断面又は台形断面を有し、光吸収部の並列方向を鉛直方向とした姿勢での層厚方向の断面視において、光吸収部の光透過部との界面のうち、上側の界面（１４ｂ、１４ｂ’）及び下側の界面（１４ａ、１４ａ’）の一方が、光学機能層に入射すると想定される映像光の入射方向に近づく角度で水平に対して傾斜し、他方が光学機能層に入射すると想定される映像光以外の光の入射方向に基づいて形成されている、反射型スクリーンである。
【０００８】
本発明において、「映像光が投射される側から、光学機能層と、フレネルレンズ層と、該フレネルレンズ層のレンズ面に形成された光反射層とを備え」とは、映像光が投射される側から、少なくとも光学機能層、フレネルレンズ層、及び光反射層が備えられており、これらの層間または表面に他の層が備えられていてもよいことを意味する。
【０００９】
請求項２に記載の発明は、請求項１に記載の反射型スクリーン（１０）において、光吸収部（１４、１４’）の並列方向を鉛直方向とした姿勢において、光吸収部の配置位置が高い程、光吸収部の光透過部との界面のうち下側の界面（１４ａ、１４ａ’）の水平面に対する角度が大きくなっていることを特徴とする。
【００１０】
請求項３に記載の発明は、請求項１又は２に記載の反射型スクリーン（１０）において、光吸収部（１４、１４’）の並列方向を鉛直方向とした姿勢において、光吸収部の配置位置が低い程、光吸収部の光透過部との界面のうち上側の界面（１４ｂ、１４ｂ’）が水平に近くなっていることを特徴とする。
【００１１】
請求項４に記載の発明は、請求項１〜３のいずれか一項に記載の反射型スクリーン（１０）と、該反射型スクリーンに映像光を投射する映像源（２）とを備える、反射型投射システム（１）である。
【００１２】
請求項５に記載の発明は、請求項４に記載の反射型投射システム（１）において、映像源（２）の出光面から前記反射型スクリーン（１０）の観察者側の面までの水平方向距離が１ｍ以下であることを特徴とする。
【発明の効果】
【００１３】
本発明によれば、映像源との距離が近い場合であってもコントラストを向上させることができる反射型スクリーン、及び該反射型スクリーンを備えた反射型投射システムを提供することができる。
【図面の簡単な説明】
【００１４】
【図１】一つの実施形態にかかる反射型投射システムを概略的に示す断面図である。
【図２】反射型スクリーン１０に備えられる光学機能層の一部を拡大して概略的に示す図である。
【図３】図３（ａ）及び図３（ｂ）は、光吸収部の具体的な形状を例示した断面図である。
【図４】光透過部１３、１３、…を形成する工程の一例を模式的に示す図である。
【図５】他の実施形態にかかる光学機能層１２’を概略的に示す断面図であり、図２に相当する図である。
【図６】光学機能層１２’を作製する方法について説明する図である。
【図７】フレネルレンズ層２３の一部を拡大するとともに、フレネルレンズ層２３に入射した映像光の光路例を示す図である。
【図８】フレネルレンズ層２３を概略的に示す平面図である。
【発明を実施するための形態】
【００１５】
本発明の上記した作用及び利得は、次に説明する発明を実施するための形態から明らかにされる。以下、本発明を図面に示す実施形態に基づき説明する。ただし、本発明はこれら実施形態に限定されるものではない。なお、各図面は、図示と理解のしやすさの便宜上、適宜縮尺等は変更して簡略化している。また、各図面において、同様の構成のものには同じ符号を付しており、繰り返しとなる符号は一部省略している場合がある。
【００１６】
＜反射型投射システム１＞
図１は一つの実施形態にかかる反射型投射システム１を概略的に示す断面図である。図１からわかるように、反射型投射システム１は、映像源２及び反射型スクリーン１０を備えている。以下にそれぞれについて説明する。
【００１７】
映像源２は、反射型スクリーン１０に向けて映像光を投射する装置であり、公知のプロジェクターを用いることができる。図１からわかるように本実施形態では、映像源２は反射型スクリーン１０の画面中央より下方側から映像光を反射型スクリーン１０に向けて投射する。
【００１８】
反射型スクリーン１０は、全体として矩形の薄いシート状であり、使用時には展開されてシート面が垂直方向に立てられるように設置される。なお、使用時において反射型スクリーン１０の平面性を確保するため、反射型スクリーン１０は所定の剛性を有する不図示の支持手段に粘着剤等により貼り付けられていることが好ましい。支持手段としては板やシート状の部材を挙げることができるが、反射型スクリーン１０の姿勢を維持することができれば特に限定されることはない。また使用していないときにはロール状に巻いてコンパクトにすることができてもよい。
そして反射型スクリーン１０は映像源２から投射された映像光を観察者Ａ（図１参照）の側に反射させることによりスクリーンとして機能する。
【００１９】
後述するように、反射型スクリーン１０によれば、映像源２と反射型スクリーン１０との距離が近い場合であってもスクリーン面に表示される映像のコントラストを向上させることができる。よって、映像源２の出光面と反射型スクリーン１０の観察者側の面との水平方向距離は、１ｍ以内とすることができる。例えば超短投写距離フロントプロジェクターＣＰ‐Ａ１００Ｊ（日立製作所社製）を用いたときには０．６３ｍの距離から８０インチの画像を表示することができる。
【００２０】
＜反射型スクリーン１０＞
次に、図面を参照しつつ反射型スクリーン１０について説明する。図１に示した反射型スクリーン１０は、映像源２側から、ハードコート層２１、光学機能層１２、基材層１１、拡散層２２、フレネルレンズ層２３、及び反射層２４を該順序で備えている。以下、これらの層について詳細に説明する。
【００２１】
（基材層１１）
基材層１１は、光学機能層１２を形成するための基材となるシート状の部材で、透光性が高く形成されている。基材層１１を構成する材料は特に限定されることはないが、ポリエチレンテレフタレート（ＰＥＴ）、ポリカーボネート（ＰＣ）、メチルメタクリレート・ブタジエン・スチレン（ＭＢＳ）、アクリル系、トリアセチルセルロース（ＴＡＣ）等の各樹脂を挙げることができる。入手性や取り扱い容易性、成形性、及び価格等の観点からは、ＭＢＳを用いることが好ましい。
【００２２】
ここで、基材層１１は透光性を有しつつも、他の機能を備えるものとされてもよい。例えば視野角を拡大したり、面内の輝度の均一性を高めたりするために光散乱材を混入することができる。また、色調を修正したり、映像光以外の光（以下、映像光以外の光を「外光」ということがある。）の一部を吸収してコントラストを向上させたりするために顔料や染料を混入してもよい。
【００２３】
（光学機能層１２）
光学機能層１２は、後に詳述するように、外光を吸収しつつ映像光は透過させることによって、反射型スクリーン１０に表示される映像のコントラストを向上させることに寄与する層である。光学機能層１２は、図１に示した断面を有して紙面奥／手前側に延在する形状を備える。すなわち、図１に表れる断面において、光学機能層１２は、光を透過可能に並列された光透過部１３、１３、…と、光透過部１３、１３、…間に光を吸収可能に形成された光吸収部１４、１４、…とを備えている。図２には、光学機能層１２の一部を拡大して示した。
【００２４】
光透過部１３、１３、…は、光を透過する機能を有する部位で、図１及び図２に表れる断面において、上下非対称な略四角形の断面を有する要素である。また、光透過部１３、１３、…は、屈折率がＮｐであり、このような光透過部１３、１３、…は、例えば、後に説明する光透過部構成組成物を硬化させることによって構成することができる。なお、屈折率Ｎｐの値は特に限定されることはないが、適用する材料の入手性の観点等から１．４９〜１．５６であることが好ましい。
【００２５】
次に、光吸収部１４、１４、…について説明する。光吸収部１４、１４、…は、光を吸収する機能を有する部位で、光透過部１３、１３、…の間に配置されている。また、光吸収部１４は、その延在方向に直交する断面視において、光反射層２４側に一つの頂点が在る上下非対称な略三角形の断面を有する。光吸収部１４、１４、…の略三角形断面における底辺１４ｃは、光学機能層１２の観察者側の層面に沿う方向に配置されている。なお、図には光吸収部１４が略三角形断面を有する形態を例示しているが、光吸収部の断面形状は、略三角形の頂部を欠いた略台形であってもよい。
【００２６】
光吸収部１４、１４、…は屈折率Ｎｂを有する所定の材料により構成されており、光吸収部１４、１４、…の屈折率Ｎｂは光透過部１３、１３、…の屈折率Ｎｐ以上である。このように、Ｎｐ≦Ｎｂの関係を満たすようにすることによって、光透過部１３、１３…と光吸収部１４、１４、…との界面に到達した光を該界面で反射させずに、光吸収部１４、１４、…で吸収することができる。ＮｐとＮｂとの差は特に限定されない。
【００２７】
光吸収部１４の形状について、以下にさらに詳細に説明する。図１及び図２に表れる断面、すなわち、光吸収部１４、１４、…の並列方向を鉛直方向とした姿勢での層厚方向の断面視において、光吸収部１４の光透過部１３との界面のうち、上側の界面１４ｂ及び下側の界面１４ａの一方は、光学機能層１２に入射すると想定される映像光の入射方向に基づいて形成され、他方は光学機能層１２に入射すると想定される映像光以外の光の入射方向に基づいて形成されている。
【００２８】
光吸収部１４の光透過部１３との界面について、以下により具体的説明する。図１及び図２に例示した実施形態では、映像源２が反射型スクリーン１０の画面中央より下方側から映像光ＶＬを投射する場合を想定している。したがって、図２に示したように、映像光ＶＬは斜め下方から光学機能層１２に入射する。一方、蛍光灯や太陽光等など外光ＯＬは、斜め上方から光学機能層１２に入射するものが多い。ここで、光吸収部１４の光透過部１３との界面のうち下側の界面１４ａは光学機能層１２に入射すると想定される映像光ＶＬの入射方向に基づいて形成され、上側の界面１４ｂは光学機能層１２に入射すると想定される外光ＯＬの入射方向に基づいて形成されている。すなわち、界面１４ａは、水平面と成す角θ１が映像光ＶＬの入射角に近い角度になるように形成されており、界面１４ｂは、斜め上方からの外光ＯＬの入射方向と交差する角度に形成されている。
【００２９】
上述したように、界面１４ａが水平面と成す角θ１を映像光ＶＬの入射角に近い角度になるように形成することによって、光吸収部１４の底面１４ｃに到達した映像光ＶＬ（図２に矢印ｘ１で示した領域に入射した映像光ＶＬ）は光吸収部１４で吸収されるが、その他の領域に入射した映像光ＶＬの多くは界面１４ａに到達することなく光透過部１３を透過し、光吸収部１４で吸収されない。光透過部１３を透過した映像光は、後に説明するように、フレネルレンズ層２３及び反射層２４で角度を変えて反射されることによって、再び光透過部１３を透過し、観察者側から観察することができる。
【００３０】
このように、光学機能層１２では映像光ＶＬの入射角に基づいて界面１４ａの角度を適宜調整することによって、映像光ＶＬの入射角が大きい場合であっても該映像光ＶＬを透過させ、フレネルレンズ層２３及び反射層２４へと導くことができる。したがって、映像源２が反射型スクリーン１０の近くに配置された場合であっても、スクリーン面に映像を表示することができる。
【００３１】
一方、界面１４ｂを斜め上方からの外光ＯＬの入射方向と交差する角度に形成することによって、光吸収部１４の底面１４ｃに到達した外光ＯＬ（図２に矢印ｙ１で示した領域に入射した外光ＯＬ）に加えて、界面１４ｂに到達した外光ＯＬ（図２に矢印ｙ２で示した領域に入射した外光ＯＬ）も光吸収部１４で吸収される。したがって、光学機能層１２では、映像光ＶＬよりも外光ＯＬの方が光吸収部１４で吸収される割合が高くなる。
【００３２】
このように、反射型スクリーン１０によれば、映像光ＶＬよりも斜め上方からの外光ＯＬを光吸収部１４で多く吸収することができるため、スクリーン面に表示される映像のコントラストを高くすることができる。また、上述したように映像源２と反射型スクリーン１０との距離を近くしても映像光ＶＬを透過させることができ、かつ外光ＯＬを吸収することができるので、映像源２が反射型スクリーン１０の近くに設置された場合でもスクリーン面に表示される映像のコントラストを高くすることができる。
【００３３】
より多くの映像光ＶＬを光吸収部１４で吸収させずに光透過部１３を透過させるためには、図１に示した姿勢において、光吸収部１４の配置位置が高い程、界面１４ａの水平面に対する角度を大きくすることが好ましい。すなわち、図１に示した姿勢において、光吸収部１４の配置位置が高い程、θ１を大きくすることが好ましい。図１に例示したように反射型スクリーン１０の斜め下方から映像光ＶＬを投射する場合、反射型スクリーン１０の高い位置程、映像光ＶＬの入射角が大きくなるからである。
【００３４】
一方、より多くの外光ＯＬを効率良く光吸収部１４で吸収させるためには、図１に示した姿勢において、光吸収部１４の配置位置が低い程、界面１４ｂを水平に近くすることが好ましい。図１に例示したように外光ＯＬとして反射型スクリーン１０の斜め上方から入射する光を想定した場合、反射型スクリーン１０の低い位置程、外光ＯＬの入射角が大きくなると考えられるからである。
【００３５】
上述したように、反射型スクリーンにおいて、スクリーン面に表示される映像のコントラストを高くするには、光学機能層に備えられた光吸収部の形状が大きく寄与する。また、適切な光吸収部の形状及び配置は反射型スクリーンと該反射型スクリーンに映像光を投射する映像源との位置関係によって変わる。したがって、光吸収部の大きさ、配置間隔、及び光吸収部と光透過部との界面の角度等は、反射型スクリーンと映像源と位置関係に応じて適宜変更することができる。
【００３６】
例えば、光吸収部１４の底辺１４ｃに達する映像光が在る領域の幅ｘ１は５μｍ以上５０μｍ以下とすることが好ましく、１０μｍ程度とすることがより好ましい。一方、底辺１４ｃには到達しない映像光が在る領域の幅ｘ２は２５μｍ以上２５０μｍ以下とすることが好ましく、５０μｍ程度とすることがより好ましい。また、光学機能層１２の観察者側からの平面視において、スクリーン面に占める光吸収部１４、１４、…の割合は、２％以上５０％以下であることが好ましく、２０％程度であることがより好ましい。θ１は、２０度以上８５度以下であることが好ましく、より好ましくは３２．９度以上７７度以下である。ここで、θ１が７７度の場合は、反射型スクリーンの映像表示面の下端から水平距離で２６９．９ｍｍ、高さで１７４．３ｍｍ下に映像源の出光面が配置される場合を想定している。θ１が３２．９度である場合と、７７度である場合の具体的な形態を例示すると、図３のようになる。図３（ａ）及び図３（ｂ）は、光吸収部の具体的な形状を例示した断面図であり、図３（ａ）はθ１が３２．９度である場合、図３（ｂ）はθ１が７７．０度である場合を示している。なお、上述したように、θ１は光吸収部の配置位置（映像源からの距離）に応じて変更されることが好ましく、映像光の入射角に応じて、ｘ１とｘ２が一定となるように各光吸収部が形成されることが好ましい。
【００３７】
光学機能層１２は、例えば、以下に説明するように、基材層１１の表面に光透過部１３、１３、…を形成した後、光透過部１３、１３、…間の溝に光吸収部１４、１４、…を形成することによって作製することができる。
【００３８】
図４は、光透過部１３、１３、…を形成する工程の一例を模式的に示した図である。光透過部１３、１３、…を形成するには、まず、光透過部１３、１３、…の形に対応した形の溝を所定のピッチで有する金型ロール４２を準備する。次に、当該金型ロール４２とニップロール４１との間に、基材層１１となる、又は基材層１１となる層を含む基材１１’を送り込む。図４に示した矢印は、基材１１’を送り込む方向である。基材１１’の送り込みに合わせて、金型ロール４２と基材１１’との間に、後に説明する光透過部構成組成物４０の液滴を供給装置４５から供給し続ける。供給装置４５から基材１１’上に光透過部構成組成物４０を供給するとき、金型ロール４２と基材１１’との間に、光透過部構成組成物４０が溜まったバンクが形成されるようにする。このバンクにおいて、光透過部構成組成物４０が基材１１’の幅方向に広がる。
【００３９】
上記のようにして金型ロール４２と基材１１’との間に供給された光透過部構成組成物４０は、金型ロール４２およびニップロール４１間の押圧力により、基材１１’と金型ロール４２との間に充填される。その後、光照射装置４４によって光透過部構成組成物４０に紫外線等を照射し、光透過部構成組成物４０を硬化させることによって光透過部１３、１３、…を形成することができる。光透過部１３、１３、…が形成された後、基材１１’上に光透過部１３、１３、…が形成されたシートは、剥離ロール４３を介して引かれることによって、金型ロール４２から引き剥がされる。
【００４０】
次に、光吸収部１４、１４、…を形成するには、上述したようにして作製した光透過部１３、１３、…上に、後に説明する光吸収部構成組成物を供給し、ドクターブレードなどによって該光吸収部構成組成物を光透過部１３、１３、…間の溝に充填しつつ、余剰分の光吸収部構成組成物を掻き落とす。その後、光透過部１３、１３、…間の溝に残った光吸収部構成組成物に紫外線等を照射して硬化させることにより、光吸収部１４、１４、…を形成することができる。
【００４１】
上記光透過部構成組成物としては、紫外線などの光で硬化させられる組成物が好ましい。このような組成物としては、例えば、以下に挙げる光硬化型プレポリマー（Ｐ１）、反応性希釈モノマー（Ｍ１）および光重合開始剤（Ｓ１）を配合した光硬化型樹脂組成物が好ましく用いられる。
【００４２】
上記光硬化型プレポリマー（Ｐ１）としては、例えば、エポキシアクリレート系、ウレタンアクリレート系、ポリエーテルアクリレート系、ポリエステルアクリレート系、ポリチオール系等のプレポリマーを挙げることができる。
【００４３】
また、上記反応性希釈モノマー（Ｍ１）としては、例えば、ビニルピロリドン、２−エチルヘキシルアクリレート、β−ヒドロキシアクリレート、テトラヒドロフルフリルアクリレート等を挙げることができる。
【００４４】
さらに、上記光重合開始剤（Ｓ１）としては、例えば、ヒドロキシベンゾイル化合物、ベンゾイルホルメート化合物、チオキサントン化合物、ベンゾフェノン、リン酸エステル化合物、ベンジルジメチルケタール等が挙げられる。これらの中から、光硬化型樹脂組成物を硬化させるための照射装置及び光硬化型樹脂組成物の硬化性から任意に選択することができる。なお、光透過部１３の着色防止の観点から好ましいのは、２−ヒドロキシ−２−メチル−１−フェニルプロパン−１−オン、１−ヒドロキシシクロヘキシルフェニルケトン及びビス（２，４，６−トリメチルベンゾイル）−フェニルホスフィンオキサイドである。
【００４５】
上記光硬化型プレポリマー（Ｐ１）、反応性希釈モノマー（Ｍ１）及び光重合開始剤（Ｓ１）は、それぞれ、１種類で、又は２種以上を組み合わせて用いることができる。また必要に応じて、光透過部構成組成物中に、塗膜の改質や塗布適性、金型からの離型性を改善させるため、種々の添加剤としてシリコーン系添加剤、レオロジーコントロール剤、脱泡剤、離型剤、帯電防止剤、紫外線吸収剤等を添加することも可能である。
【００４６】
本実施形態における光吸収部１４、１４、…は、光吸収粒子１６、１６、…と光吸収粒子１６、１６、…を分散させたバインダー１５とを含む光吸収部構成組成物が光透過部１３、１３、…間の溝に充填されることにより構成されている。これにより、光吸収部１４、１４、…の内側に入射した光を光吸収粒子１６、１６、…で吸収することができる。
【００４７】
なお、屈折率Ｎｂを有する所定の材料により光吸収部１４、１４、…を構成するとは、例えば、屈折率Ｎｂである材料によりバインダー１５が構成されることを意味する。当該バインダー１５として用いられるものは特に限定されないが、紫外線などの光によって硬化される組成物が好ましい。このような組成物としては、例えば、以下に例示する光硬化型プレポリマー（Ｐ２）、反応性希釈モノマー（Ｍ２）及び光重合開始剤（Ｓ２）を配合した光硬化型樹脂組成物が好ましく用いられる。
【００４８】
上記光硬化型プレポリマー（Ｐ２）としては、例えば、ウレタン（メタ）アクリレート、ポリエステル（メタ）アクリレート、エポキシ（メタ）アクリレート、及びブタジエン（メタ）アクリレート等を挙げることができる。
【００４９】
また、上記反応性希釈モノマー（Ｍ２）としては、例えば、単官能モノマーとして、ビニルモノマー、（メタ）アクリル酸エステルモノマー、（メタ）アクリルアミド誘導体が挙げられる。また、多官能モノマーとして、（メタ）アクリレート系のものを挙げられる。
【００５０】
さらに、上記光重合開始剤（Ｓ２）としては、１−ヒドロキシシクロヘキシルフェニルケトン、２−ヒドロキシ−２−メチル−１−フェニルプロパン−１−オン、２，２−ジメトキシ−１，２−ジフェニルエタン−１−オン、２，４，６−トリメチルベンゾイルジフェニルホスフィンオキサイド、ビス（２，４，６−トリメチルベンゾイル）−フェニルホスフィンオキサイド等が挙げられる。これらの中から、光硬化型樹脂組成物を硬化させるための照射装置及び光硬化型樹脂組成物の硬化性から任意に選択することができる。
【００５１】
上記光硬化型プレポリマー（Ｐ２）、反応性希釈モノマー（Ｍ２）及び光重合開始剤（Ｓ２）は、それぞれ、１種類で、又は２種以上を組み合わせて用いることができる。具体的には、ウレタンアクリレート、エポキシアクリレート、トリプロピレングリコールジアクリレート及びメトキシトリエチレングリコールアクリレートからなる光重合性成分（詳しくは、光硬化型プレポリマー（Ｐ２）及び反応性希釈モノマー（Ｍ２））の屈折率、粘度、又は光学機能層１２の性能への影響等を考慮して任意に配合して用いることができる。また必要に応じて、添加剤として、シリコーン、消泡剤、レベリング剤及び溶剤等を光吸収部構成組成物に添加してもよい。
【００５２】
光吸収粒子１６としては、カーボンブラック等の光吸収性の着色粒子が好ましく用いられるが、これらに限定されるものではなく、映像光の特性に合わせて特定の波長を選択的に吸収する着色粒子を使用してもよい。具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましく用いられる。着色粒子の平均粒子径は１．０μｍ以上２０μｍ以下であることが好ましい。平均粒子径が１．０μｍ以上の着色粒子を用いることによって、光吸収部を形成する過程において、着色粒子がドクターブレードと光透過部１３の上部との間の隙間を抜け難くなり、光透過部１３の上部に着色粒子が残留することを防止できる。
【００５３】
なお、光吸収部は、上述したような光吸収粒子を用いる形態に限定されず、光吸収部全体を顔料などによって着色することによって構成してもよい。
【００５４】
上述したように、光学機能層１２によれば、光吸収部１４によって映像光ＶＬよりも外光ＯＬを多く吸収することができるため、スクリーン面に表示される映像のコントラストを高くすることができる。光吸収部によって映像光よりも外光を多く吸収するという観点からは、光学機能層は、例えば、以下のような形態であってもよい。図５は、他の実施形態にかかる光学機能層１２’を概略的に示す断面図であり、図２に相当する図である。
【００５５】
光学機能層１２’は、光透過部１３’と光吸収部１４’とが交互に形成された層である。光吸収部１４’の下側の界面１４ａ’は、上述した界面１４と同様に、映像光ＶＬの入射方向に近い角度になるように形成されている。一方、光吸収部１４’の上側の界面１４ｂ’は、界面１４ａ’と略平行に形成されている。かかる形態とすることによって、光学機能層１２に比べて、光吸収部１４’で吸収される映像光の量を減らすことができる。すなわち、光学機能層１２’において光吸収部１４’で映像光ＶＬが吸収される領域（矢印ｘ３で示した領域）は、光学機能層１２において光吸収部１４で映像光ＶＬが吸収される領域（図２に矢印ｘ１で示した領域）よりも小さくすることができる。また、斜め上方から入射する外光ＯＬを光吸収部１４’で吸収できる量は増やすことができる。すなわち、光学機能層１２’において光吸収部１４’で外光ＯＬが吸収される領域（矢印ｙ３で示した領域）を、光学機能層１２において光吸収部１４で外光ＯＬが吸収される領域（図２に矢印ｙ１及びｙ２で示した領域）よりも大きくすることができる。よって、光学機能層１２’を用いれば、コントラストが高い映像を提供することができる。ただし、生産性の観点からは、上述した光学機能層１２の方が好ましい。
【００５６】
光学機能層１２’は、例えば、以下に説明するようにして作製することができる。図６は、光学機能層１２’を作製する方法について説明する図である。光学機能層１２’を作製するには、例えば、図６に示したように、光を透過する層３１と、光を吸収する層３２とを交互に積層した積層体を作製し、該積層体を図６に破線で示したように積層方向に対して斜めに切断することによって、作製することができる。この場合、切断して作製されたシートのうち、光を透過する層３１の部分が光透過部１３’となり、光を吸収する層３２の部分が光吸収部１４’となる。
【００５７】
また、これまでの光学機能層の説明では、反射型スクリーンの斜め下方から映像光が透過される場合について説明したが、映像源は反射型スクリーンの斜め上方に配置されることもある。この場合、これまでに説明した光学機能層の上下を逆にすることによって、これまでに説明した光学機能層と同様にスクリーン面に表示される映像のコントラストを高くすることができる。なお、この場合は、床面などで反射して反射スクリーンの斜め下方から入射する外光を光吸収部で効率良く吸収することができる。
【００５８】
（フレネルレンズ層２３）
次に、フレネルレンズ層２３について説明する。フレネルレンズ層２３としては、公知のフレネルレンズを有する層を、特に限定することなく用いることができる。
【００５９】
図７はフレネルレンズ層２３の一部を拡大するとともに、フレネルレンズ層２３に入射した映像光の光路例を示した図である。フレネルレンズ層２３は、単位レンズ２３ａを複数備えている。また、単位レンズ２３ａは、斜面２３ｂと、該斜面２３ｂを形成するための立ち上げ面２３ｃとを備えたレンズ面を有し、観察者側とは反対側に凸となるように形成されている。単位レンズ２３ａのレンズ面には後述する光反射層２４が形成されており、斜面２３ｂは、当該斜面２３ｂに到達した光を反射させる反射面として機能する。
【００６０】
ここで、斜面２３ｂは、スクリーン面に垂直な面となす角がαである。当該αは以下に光路例を示すように、映像源２からフレネルレンズ層２３に到達した映像光を反射させ、最終的にはこれを観察者に向けて出射させることができる偏向機能を有するように構成されている。従ってαの角の大きさは映像光を投射する映像源２の位置等に応じて適宜変更可能である。また、複数のレンズ部２３ａの全てにおいてαを同じ大きさにする必要はなく、一部を変更したり、配列方向に沿って次第に変化させたりしてもよい。これらは映像源２からフレネルレンズ層２３に入射する光の角度等を考慮して適宜形状を選択することができる。
【００６１】
フレネルレンズ層２３に入射した映像光の光路例について、図７を参照しつつ説明する。ただし、図に表した光路例は概念的に光の進路を表したものであり、屈折の程度や反射の角度を精密に表したものではない。
【００６２】
図７に示すように、斜め下方から斜面２３ｂに到達した映像光Ｌ１は、光反射層２４によって反射され、観察者側に提供される。このとき、斜面２３ｂは上述したように適切な傾斜角度（α）とされているため、観察者によって見易いように映像光Ｌ１の光路が制御される。
【００６３】
このようなフレネルレンズ層２３に備えられる単位レンズ２３ａの構成について、以下に例示する。図８は、フレネルレンズ層２３を模式的に表した平面図である。
【００６４】
図８に示したフレネルレンズ層２３に備えられる単位レンズ２３ａ、２３ａ、…は、同心円をなす円の弧上に延びるように配列されている。そして、水平方向における単位レンズ２３ａ、２３ａ、…の構成は、水平方向における中心位置を通る鉛直方向と平行な軸Ａａを中心として、線対称となっている。このような単位レンズ２３ａ、２３ａ、…の構成は反射型スクリーン１０に対する映像源等の配置に基づいて設計され得る。例えば、反射型スクリーン１０を備えた反射型投射システムを正面から観察した場合において、単位レンズ２３ａ、２３ａ、…の配置に関する同心円の中心Ｏが、映像源２の配置位置に重なる位置になるように設計する。このように中心Ｏをフレネルレンズ層２３の中心から鉛直方向下側に偏心させることにより、反射型スクリーン１０の斜め下方から映像光ＶＬを投射したとしても、映像源２から反射型スクリーン１０方向へ広がっていく光束を反射させて、反射型スクリーン１０の正面方向への平行光束にすることができる。反射型スクリーン１０の斜め下方から映像光ＶＬを照射する構成とすることによって、反射型スクリーン１０と映像源２の距離を近づけることができる。
【００６５】
このようなフレネルレンズ層２３を構成する材料としては、特に限定されることなく種々のものを使用することができる。ただし、スクリーン用の材料として広く使用され、優れた機械的特性、光学特性、安定性及び加工性等を有するとともに安価に入手可能な材料、例えば、アクリル、スチレン、ポリカーボネート、ポリエチレンテレフタレート、アクリロニトリル等の一以上を主成分とする透明樹脂や、エポキシアクリレートやウレタンアクリレート系の反応性樹脂（電離放射線硬化型樹脂等）が好適に使用され得る。
【００６６】
なお、フレネルレンズ層としてサーキュラーフレネルレンズを例示して説明したが、フレネルレンズ層は、単位レンズの配列方向が交差するように組み合わされた２以上のリニアフレネルレンズ層で構成されていてもよい。
【００６７】
（光反射層２４）
次に、光反射層２４について説明する。光反射層２４は、フレネルレンズ層２３のレンズ面に形成され、映像光を反射させる層である。光反射層２４は映像光を反射可能な形態であれば特に限定されず、公知の手段によって形成することができる。例えば、蒸着によってアルミニウムなどの金属からなる境面を形成し、当該境面を光反射層２４とすることができる。また、スプレーコーティングによって反射性塗料を吹き付けて乾燥させて光反射層２４を形成することもできる。当該反射性塗料としては、表面が平滑なアルミ片を含んだ鏡面塗料、フレーク状のアルミ微細粉を含んだメタリック塗料（１液のもの、硬化剤を含む２液のものいずれもでもよい。）などを挙げることができる。さらに、スクリーン印刷やその他印刷方式によって、ミラーインキやメタリックインキを塗布し、熱硬化またはＵＶ硬化させて光反射層２４を形成することもできる。
なお、光反射層２４は、映像光を１００％反射させるものに限定されない。例えば、白色インキ（顔料として、例えば酸化チタンを含むもの。）及びアルミニウムや黒色インキを混合するなどして、反射率を適宜調整することもできる。
【００６８】
（光拡散層２２）
次に、光拡散層２２について説明する。光拡散層２２は、光反射層２４で反射された映像光を等方拡散して観察者側に出射する層である。具体的には、光拡散層２２は、透明樹脂からなるベース部と、該ベース部中に分散された光拡散剤とを有している。そして、光拡散層２２は、例えば、ベース部と光拡散剤との間の屈折率差に起因して、或いは、光拡散剤自体が有する反射性に起因して、光を等方的に拡散する機能を発現する。ただし、本発明において、光拡散層２２は光を等方拡散する層に限定されず、反射型スクリーンの用途に応じて、光を異方拡散する層であってもよい。例えば、ベース部中における光拡散剤の分布や光拡散剤の形状を調整することによって、光を異方拡散することができる。光拡散層２２のこのような光拡散能によって、映像光が拡散され、観察者は、光拡散層２２の光拡散能に応じた視野角の範囲内で映像を観察することができる。
【００６９】
光拡散層２２のベース部を構成する透明樹脂としては、例えば、ポリエチレンテレフタレート（ＰＥＴ）、ポリカーボネート（ＰＣ）、メチルメタクリレート・ブタジエン・スチレン（ＭＢＳ）、アクリル系、トリアセチルセルロース（ＴＡＣ）等の各樹脂を挙げることができる。入手性や取り扱い容易性、成形性、及び価格等の観点からＭＢＳが好ましい。
【００７０】
一方、光拡散剤は、一例として、平均粒径が１μｍ〜１００μｍ程度であるシリカ（二酸化珪素）、アルミナ（酸化アルミニウム）、アクリル樹脂、ポリカーボネート樹脂、シリコーン樹脂等の透明物質からなる粒子を用いることができる。或いは、拡散成分は気泡であっても良い。これらによれば母材と光拡散剤との屈折率差による界面反射を利用して光を散乱させることができる。
【００７１】
光拡散層２２の厚みは、０．１ｍｍ以上２ｍｍ以下であることが好ましく、０．２ｍｍ以上１．５ｍｍ以下であることがより好ましい。光拡散層２２の厚みが０．１ｍｍ未満であれば、光拡散層２２の光拡散能が不十分となる虞がある。一方、光拡散層２２の厚みが２ｍｍを超えると、反射型スクリーン１０の観察者側に表示される映像の解像性が劣化し、映像がぼやける虞がある。
【００７２】
（ハードコート層２１）
次に、ハードコート層２１について説明する。ハードコート層２１は、反射型スクリーン１０の最表面に配置されており、反射型スクリーン１０の映像表示面を構成する。したがって、ハードコート層２１は、外部との接触に起因した擦傷に対する耐性が付与されている。このようなハードコート層２１としては、公知のものを用いることができる。ハードコート層２１は、例えば、電離放射線硬化型樹脂を硬化させることによって形成できる。当該電離放射線硬化型樹脂の具体例としては、アクリルウレタン系の電離放射線硬化型樹脂を挙げることができる。
【００７３】
（その他の層）
これまでに説明した各層は、融着、又は粘着剤層を介することによって互いに固定されている。当該粘着剤層に用いられる粘着剤は、光を透過させるとともに、適切な粘着性を有すればその材質は特に限定されるものではない。これには、例えばアクリル系粘着剤を挙げることができる。その粘着力は、例えば、数Ｎ／２５ｍｍ〜２０Ｎ／２５ｍｍ程度である。
【００７４】
なお、これまでの説明では、ハードコート層、光学機能層、基材層、光拡散層、フレネルレンズ層、及び光反射層を備える形態について例示したが、本発明の反射型スクリーンは、少なくとも光学機能層、フレネルレンズ層、及び光反射層を備えていればよく、上記の層全てを必須とするわけではない。また、その他の層が備えられていてもよい。
【００７５】
上記その他の層としては、従来の反射型スクリーンに備えられていた層を適宜用いることができ、例えば、減光層を挙げることができる。減光層は、外光の一部を吸収してコントラストを向上させる機能を有する層である。このような減光層は、上述した光拡散層や粘着剤層や光学機能層の光透過部に顔料又は染料を混合し、これらの層に減光層としての機能を兼ね備えさせることによって構成してもよく、別途、減光層としての機能のみを有する層を形成してもよい。
このような減光層によれば、反射型スクリーンに入射される外光の少なくとも一部を吸収させることができ、観察者に提供される映像光のコントラストを向上させることができる。かかる観点からは、減光層はできる限り観察者側に配設されることが好ましい。
【符号の説明】
【００７６】
１  反射型投射システム
２  映像源
１０  反射型スクリーン
１１  基材層
１２  光学機能層
１３  光透過部
１４  光吸収部
１５  バインダー
１６  光吸収粒子
２０  光拡散層
２１  ハードコート層
【図１】
0005828228.tif 000002
【図２】
0005828228.tif 000003
【図３】
0005828228.tif 000004
【図５】
0005828228.tif 000005
【図６】
0005828228.tif 000006
【図７】
0005828228.tif 000007
【図８】
0005828228.tif 000008
【図４】
0005828228.tif 000009